(57)【特許請求の範囲】
【請求項１】
正の温度抵抗係数を有し通常時には電流に対し殆ど抵抗を有していない材料にして、温度が所定の温度より高くなると自動的に抵抗の高い状態に切り換わり細流電流しか流れなくなる材料からなり金属フォイル電極が貼り付けられた両外面を有する平坦な層と、前記材料の層を挟んで前記電極にはんだ付けされ上端と下端と両側部とを有する一対の金属端子プレートと、前記金属端子プレートの各々の前記下端から延在し前記一対の金属端子プレートに挟まれた前記平坦な層を電気回路に接続するための端子脚とを有するサーマルプロテクタであって、
前記金属端子プレートが、前記両外面に対して実質的に垂直な方向に互いに隔置された外側表面と、前記金属端子プレートの少なくとも一方に取り付けられ前記サーマルプロテクタの一体的な部分として前記金属端子プレートから外方へ延在し前記両外面に対して実質的に垂直な方向に測って前記外側表面の間の厚さの少なくとも２倍の有効厚さを前記サーマルプロテクタに与え該サーマルプロテクタの前記有効厚さと同じ厚さのポケットに前記サーマルプロテクタが密に受容されるようにするフランジを、前記端子脚とは独立に、有していることを特徴とするサーマルプロテクタ。
【請求項２】
請求項１のサーマルプロテクタであって、前記上端、下端及び両側部が周縁部を定め、前記フランジが前記金属端子プレートの少なくとも一方の前記周縁部の少なくとも二つから前記端子プレートに対して垂直方向に外方へ延在する少なくとも二つのフランジを含んでいることを特徴とするサーマルプロテクタ。
【請求項３】
請求項２のサーマルプロテクタであって、前記フランジの少なくとも一方の長さが、該フランジの延在している周縁部よりも短いことを特徴とするサーマルプロテクタ。
【請求項４】
請求項３のサーマルプロテクタであって、該サーマルプロテクタの外周縁の内側に前記フランジが外側表面を有していることを特徴とするサーマルプロテクタ。
【請求項５】
請求項１のサーマルプロテクタであって、前記端子脚が前記金属端子プレートに平行に延在していることを特徴とするサーマルプロテクタ。
【請求項６】
請求項１のサーマルプロテクタであって、前記端子脚が前記金属端子プレートに対して垂直に延在していることを特徴とするサーマルプロテクタ。
【請求項７】
請求項６のサーマルプロテクタであって、前記端子脚が同一の方向に延在していることを特徴とするサーマルプロテクタ。
【請求項８】
上端と下端と両側部とを有し互いに対向する一対の金属端子プレートの間にサンドイッチ状に挟まれて該金属端子プレートに接合されたＰＴＣ材料の層を含み、前記一対の金属端子プレートと前記ＰＣＴ材料の層が同一の領域にて延在している部分を有しているＰＴＣ装置にして、前記金属端子プレートの各々の前記下端より外方へ延在し前記ＰＴＣ装置を電気回路に接続する端子脚と含み、前記上端と下端と両側部とが前記金属端子プレートの周縁を定め、前記金属端子プレートの少なくとも一つに該金属端子プレートの周縁に沿って一体的に形成され前記金属端子プレートに対して垂直な方向に外方へ延在し前記端子脚から独立に隔置されたフランジが設けられていることを特徴とするＰＴＣ装置。
【請求項９】
請求項８のＰＴＣ装置であって、前記フランジが前記金属端子プレートの両方に設けられ、互いに反対の方向へ外方に延在していることを特徴とするＰＴＣ装置。
【請求項１０】
請求項８のＰＴＣ装置であって、前記フランジが前記金属端子プレートの少なくとも一つの前記上端及び下端に上側フランジ及び下側フランジを含むことを特徴とするＰＴＣ装置。
【請求項１１】
請求項８のＰＴＣ装置であって、前記フランジの各々が前記上端と下端又は前記両側部の一部に沿って該上端と下端又は該両側部よりも短い長さにて延在していることを特徴とするＰＴＣ装置。
【請求項１２】
請求項８のＰＴＣ装置であって、前記フランジが前記金属端子プレートの少なくとも一つの前記両側部に側部フランジを含むことを特徴とするＰＴＣ装置。
【請求項１３】
請求項１２のＰＴＣ装置であって、前記側部フランジが前記下端に隣接していることを特徴とするＰＴＣ装置。
【請求項１４】
電動機と回路に於いて接続されるようサーマルプロテクタを受けるポケットと、前記ポケットに受容されるＰＴＣ装置とを有する電動機ブラシホールダであって、前記ポケットが、所定の奥行き及び所定の幅を有し、上端孔と下端孔と、前記下端孔に隣接して設けられたポケット当接部とを有し、前記ＰＴＣ装置が、前記ポケット当接部に係合する下端を有し、該ＰＴＣ装置が互いに対向する平坦な一対の端子プレートの間にサンドイッチ状に挟まれたＰＴＣ材料の平坦な層を含み、前記端子プレートが外面を有し、前記外面の間にて前記ＰＴＣ装置が前記奥行きよりも小さい所定の厚さを有し、前記端子プレートの少なくとも一方に、そこから外方に延在する複数のフランジが永久的に取り付けられ、これにより、前記ＰＴＣ装置の前記所定の厚さと同じ方向に測って該所定の厚さよりも大きな有効厚さが前記ＰＴＣ装置に与えられ、前記ＰＴＣ装置が前記ポケットに密に受けられ、前記端子プレート上に、前記電動機と回路に於いて接続するために、前記複数のフランジとは別に、端子脚が前記ポケットの下端孔を通って延在していることを特徴とする電動機ブラシホールダ。
【請求項１５】
請求項１４の電動機ブラシホールダであって、前記ＰＴＣ装置が上端を有し、前記電動機ブラシホールダが前記上端に重なり前記ＰＴＣ装置を前記ポケット内に保持するタブを含んでいることを特徴とするホールダ。
【請求項１６】
請求項１４の電動機ブラシホールダに於いて、前記複数個のフランジが、前記端子プレートと一体的に形成されていることを特徴とする電動機ブラシホールダ。
【請求項１７】
電動機と回路に於いて接続されるようサーマルプロテクタを受けるポケットと、前記ポケットに受容されるＰＴＣ装置とを有する電動機ブラシホールダであって、前記ポケットが、所定の奥行き及び所定の幅を有し、上端孔と下端孔と、前記下端孔に隣接して設けられたポケット当接部とを有し、前記ＰＴＣ装置が、前記ポケット当接部に係合する下端を有し、該ＰＴＣ装置が互いに対向する平坦な一対の端子プレートの間にサンドイッチ状に挟まれたＰＴＣ材料の平坦な層を含み、前記端子プレートが外面を有し、前記外面の間にて前記ＰＴＣ装置が前記奥行きよりも小さい所定の厚さを有し、前記端子プレート上に、前記電動機と回路に於いて接続するために、端子脚が前記ポケットの下端孔を通って延在し、前記端子プレートの少なくとも一方に、該端子プレートに一体的に形成され該端子プレートに垂直な方向へ外方に延在する少なくとも一つのフランジが永久的に取り付けられ、前記フランジに沿って前記ＰＴＣ装置の前記所定の厚さと同じ方向に測って該所定の厚さよりも大きな有効厚さが前記ＰＴＣ装置に与えられ、これにより、前記ＰＴＣ装置が前記ポケットに密に受けいれられていることを特徴とする電動機ブラシホールダ。
【請求項１８】
請求項１７の電動機ブラシホールダに於いて、前記ＰＴＣ装置が上端を有し、少なくとも一つの前記端子プレートが該プレートより延在して上端フランジを成す少なくとも一つのフランジを有し、前記上端フランジに重なり前記ＰＴＣ装置を前記ポケット内に保持するタブが設けられていることを特徴とする電動機ブラシホールダ。
【請求項１９】
請求項１７の電動機ブラシホールダであって、前記端子プレートの各々が該プレートより延在する複数個のフランジを有し、一方の前記端子プレート上のフランジが同一の方向に延在し、他方の前記端子プレートの全てのフランジと反対の方向に延在していることを特徴とするＰＴＣ装置。
【請求項２０】
請求項１７の電動機ブラシホールダであって、前記端子プレートが、プレート上端とプレート下端とプレート両側部とを有し、前記端子プレートの少なくとも一つが、前記プレート上端から延在する上端フランジと前記プレート下端から延在する下端フランジと、前記プレート両側部から延在する側部フランジとを有していることを特徴とする電動機ブラシホールダ。
【請求項２１】
請求項２０の電動機ブラシホールダであって、前記側部フランジが、前記プレート下端に隣接して設けられ、前記プレート側部に沿う方向について前記プレート側部よりも短いことを特徴とする電動機ブラシホールダ。
【請求項２２】
請求項２０の電動機ブラシホールダであって、前記フランジの各々が、それぞれの延在しているプレート上端、プレート下端又はプレート側部の全長よりも短く、前記プレート上端、前記プレート下端、前記プレート両側部が、プレートの外周縁を定め、前記フランジが前記外周縁の内側に外面を有していることを特徴とする電動機ブラシホールダ。
【請求項２３】
正の温度抵抗係数を有し通常時には電流に対し殆ど抵抗を有していない材料にして、温度が所定の温度より高くなると自動的に抵抗の高い状態に切り替わり細流電流しか流れなくなる材料からなり上端と下端と両側部とを有する一対の金属端子プレートにサンドイッチ状に挟まれ該金属端子プレートに接合された平坦な層を含むサーマルプロテクタであって、前記金属端子プレートの上端と下端と両側部とに一致する上端、下端及び両側部と、前記下端にて前記金属端子プレートの各々の下端から延在し前記サーマルプロテクタを電気回路へ接続する端子脚と、前記金属端子プレートの少なくとも一方に一体的に形成され前記金属端子プレートの少なくとも一方の下端から延在する下端フランジとを含み、前記金属端子プレートの各々から前記材料の層へ向かう方向を内方とし、前記金属端子プレートの各々から前記材料の層より離れる方向を外方としたときに、前記下端フランジが外方に延在していることを特徴とするサーマルプロテクタ。
【請求項２４】
請求項２３のサーマルプロテクタであって、前記フランジが前記端子脚とは別々に独立に設けられ、該フランジの前記下端に沿う方向の長さが該フランジの延在している前記金属端子プレートの下端の全長よりも短いことを特徴とするサーマルプロテクタ。
【請求項２５】
請求項２３のサーマルプロテクタであって、前記金属端子プレートの少なくとも一方の上端から前記外方へ延在する上端フランジを含んでいることを特徴するサーマルプロテクタ。
【請求項２６】
請求項２５のサーマルプロテクタであって、前記上端フランジ及び下端フランジが同一の金属端子プレートにあることを特徴とするサーマルプロテクタ。
【請求項２７】
請求項２５のサーマルプロテクタであって、前記上端フランジのその上端に沿う方向の長さが該フランジの延在している前記金属端子プレートの上端の全長よりも短いことを特徴とするサーマルプロテクタ。
【請求項２８】
正の温度抵抗係数を有し通常時には電流に対し殆ど抵抗を有していない材料にして、温度が所定の温度より高くなると自動的に抵抗の高い状態に切り替わり細流電流しか流れなくなる材料からなり上端と下端と両側部とを有する一対の金属端子プレートにサンドイッチ状に挟まれ該金属端子プレートに接合された平坦な層を含むサーマルプロテクタであって、前記金属端子プレートの上端と下端と両側部とに一致する上端、下端及び両側部と、前記下端にて前記金属端子プレートの各々の下端から延在し前記サーマルプロテクタを電気回路へ接続する端子脚と、前記金属端子プレートの少なくとも一方に一体的に形成され前記金属端子プレートの少なくとも一方の両側部から延在する側部フランジとを含み、前記金属端子プレートの各々から前記材料の層へ向かう方向を内方とし、前記金属端子プレートの各々から前記材料の層より離れる方向を外方としたときに、前記側部フランジが外方に延在していることを特徴とするサーマルプロテクタ。
【請求項２９】
請求項２５のサーマルプロテクタであって、前記側部フランジの、該フランジの延在している前記金属端子プレートの側部に沿って測った長さが該フランジの延在している前記金属端子プレートの側部の全長よりも短いことを特徴とするサーマルプロテクタ。
【請求項３０】
請求項２９のサーマルプロテクタであって、前記側部フランジが前記金属端子プレートの一方に隣接して設けられていることを特徴とするサーマルプロテクタ。
【請求項３１】
正の温度抵抗係数を有し通常時には電流に対し殆ど抵抗を有していない材料にして、温度が所定の温度より高くなると自動的に抵抗の高い状態に切り替わり細流電流しか流れなくなる材料からなり一対の金属端子プレートにサンドイッチ状に挟まれ該金属端子プレートに接合された平坦な層を含むサーマルプロテクタであって、
前記金属端子プレートが、前記材料層外面に対して実質的に垂直な方向に互いに隔置された外側表面と、前記金属端子プレートの少なくとも一方に取り付けられ前記サーマルプロテクタの一体的な部分として前記金属端子プレートから外方へ延在し前記材料層の厚さの少なくとも２倍の有効厚さを前記サーマルプロテクタに与え該サーマルプロテクタの前記有効厚さと同じ厚さのポケットに前記サーマルプロテクタが密に受容されるようにする複数のフランジとを含み、前記金属端子プレートの各々から前記材料の層へ向かう方向を内方とし、前記金属端子プレートの各々から前記材料の層より離れる方向を外方としたときに、前記複数のフランジが外方に延在し、前記金属端子プレートの各々から延在し前記サーマルプロテクタを電気回路へ接続する端子脚が設けられ、前記複数のフランジが前記端子脚の各々とは別々に独立に設けられ、前記材料層が外周縁を有し、前記複数のフランジの実質的な部分が前記外周縁の内側に位置することを特徴とするサーマルプロテクタ。
【請求項３２】
請求項３１のサーマルプロテクタであって、前記複数のフランジが前記金属端子プレートの少なくとも一つに一体的に形成された互いに隔置されたフランジであることを特徴とするサーマルプロテクタ。
【請求項３３】
請求項３２のサーマルプロテクタであって、上端、下端及び両側部を有する矩形状の外周縁を有し、前記フランジが前記外周縁から延在し、前記フランジの各々の、前記上端、下端及び両側部に沿う方向の長さが、該フランジの各々の延在する上端、下端及び両側部の全長よりも短いことを特徴とするサーマルプロテクタ。
【発明の詳細な説明】
【０００１】
【発明の属する技術分野】
本発明は、サーマルプロテクタの技術に係り、更に詳細にはＰＴＣ材料を使用するサーマルプロテクタに係る。特に本発明は電動機を保護するために使用可能なものであり、これについて説明するが、本発明は広い局面を有し、電動機以外の電気装置を保護するために使用されてよいものである。
【０００２】
【従来の技術】
自動車のパワーウインドやパワーシートの如き用途に使用される小型の電動機は、一般に電気機械式のサーマルプロテクタにより過負荷より保護される。電動機により駆動される装置が失速すると、電動機はバッテリ電源に接続されたままの状態になり、発生される熱によって電気機械式のサーマルプロテクタが作動され、これにより電動機がバッテリ電源より遮断される。サーマルプロテクタの温度が低下すると、電動機は再度電源に接続される。問題が解消されなければ、電気機械式のサーマルプロテクタはバッテリの電力が完全になくなるまでオン−オフを繰り返す。
【０００３】
【発明が解決しようとする課題】
ＰＴＣ装置は所定の高温度に於いて非常に抵抗の高い状態に切り換わり、ＰＴＣ材料に流れる細流電流によりＰＴＣ装置を高抵抗状態に維持するに十分な熱が発生される。細流電流は自動車の時計に使用される電流と同程度であるので、細流電流がバッテリを急激に放電させることはない。またＰＴＣ装置は問題が解消されるまで電動機をバッテリに再度接続しない。電気機械式のサーマルプロテクタはＰＴＣ装置よりも実質的に大きいので、電気機械式のサーマルプロテクタをＰＴＣ装置に置き換えることは困難であり高価である。従ってＰＴＣ装置はそのままの状態では電気機械式のサーマルプロテクタのためのホールダに嵌合状態にて保持されず、ホールダを完全に設計し直す必要がある。
【０００４】
従ってサーマルプロテクタを保持するホールダ全体を完全に設計し直すことなく電気機械式のサーマルプロテクタをＰＴＣ装置に置き換えることを可能にすることが望ましい。
【０００５】
【発明の概要】
プラスチック製の電動機ブラシホールダが電気機械式のサーマルプロテクタを密に受けるポケットを含んでいる。一つの周知の型式の電気機械式のサーマルプロテクタが「Ｏｔｔｅｒ」なる商品名にて販売されている。本発明によれば、ＰＴＣ装置が電気機械式のサーマルプロテクタを密に受ける大きさのポケットに密に受けられるよう、ＰＴＣ装置の有効厚さが増大される。
【０００６】
一つの実施形態によれば、本発明のＰＴＣ装置は炭素が分散されたポリマーであってよいＰＴＣ材料の中央層を含んでいる。ＰＴＣ材料は正の温度抵抗係数を有し、従って通常時には電流に対し殆ど抵抗を有していない。ＰＴＣ材料は所定の高温度に於いて抵抗の高い状態に自動的に切り換わり、この状態に於いては極く小さい細流電流しか流れなくなる。細流電流は電動機を損傷するほど高い値ではないが、ＰＴＣ材料に熱を発生するに十分な値であり、これにより問題が解消されるまでＰＴＣ材料が抵抗の高い状態に維持される。
【０００７】
ＰＴＣ材料の平坦な層はその両側の表面に接合された金属フォイルを有し、金属フォイルはその外側にて互いに対向する一対の金属プレートにはんだ付けされている。従ってＰＴＣ材料は一対の金属プレートの間にサンドイッチ状に挟まれている。
【０００８】
金属プレートは上端と下端と両側部とを有する。端子がＰＴＣ装置を回路に接続するよう金属プレートの下端より下方へ延在している。フランジがＰＴＣ装置の有効厚さを増大するよう少なくとも一つのプレートの端部又は側部より外方へ延在している。少なくとも一つのプレートに設けられた上端フランジがポケット内のリーテナと共働し、これによりＰＴＣ装置をポケット内に保持する。
【０００９】
有効厚さを増大させるためにフランジを設けるのではなく、ＰＴＣ装置の全体としての厚さを増大させる電気絶縁材料の層が金属プレートの表面に設けられてもよい。
【００１０】
本発明の主要な目的は、電気機械式のサーマルプロテクタの代わりに使用可能な改良されたＰＴＣ装置を提供することである。
【００１１】
本発明の他の一つの目的は、ＰＴＣ装置に外方へ延在するフランジを形成することにより有効厚さが増大されたＰＴＣ装置を提供することである。
【００１２】
【発明の実施の形態】
添付の図面は本発明の幾つかの好ましい実施形態を説明するためのものであり、本発明を限定するものではない。図１は図には示されていない電動機の電機子を囲繞する中央円形孔１０を有する成形されたプラチック製の電動機ブラシホールダを示している。ガイド１６及び１８に受けられた電動機ブラシ１２及び１４はそれぞればね２０及び２２により電動機の電機子に係合するよう孔１０の中心へ向けて付勢されている。
【００１３】
電動機ブラシ１４は差し込み式の端子部材２６に接続されたリード線２４を有している。他の一つの差し込み式の端子部材２８が電動機ブラシ１２を越えてＰＴＣ装置Ｂへ向けて延在しており、ＰＴＣ装置Ｂに隣接して設けられた支持部３２のリセスに支持された水平部３０を含んでいる。端子部材２８の水平部３０は図には示されていないが下方へ延在する端子部を有し、該端子部はＰＴＣ装置Ｂの端子にはんだ付けされている。ＰＴＣ装置Ｂの他方の端子は接続導線３４にはんだ付けされており、導線３４は電動機ブラシ１２のリード線３６に取り付けられている。
【００１４】
電動機ブラシホールダＡにはサーマルプロテクタを受けるポケットが設けられている。ポケットの両側面４０及び４２は垂直に延在する突起、即ち側壁４４及び４６により郭定されている。ポケットの前面５０及び背面５２は支持壁３２及び外壁、即ち背壁５４により郭定されている。
【００１５】
サーマルプロテクタを受けるポケットは図３に於いて符号６０により全体的に示されており、上端孔６２及び下端孔６４を含んでいる。弾性フィンガ６８に設けられた内方へ延在する突起６６がサーマルプロテクタをポケット６０内に保持するためのタブを与えている。弾性フィンガ６８は図２にも図示されており、サーマルプロテクタをポケット６０内に挿入すべくタブ６６を変位させて上端孔６２の大きさを増大させるよう外方へ変形可能である。フィンガ６８が解放されるとタブ６６は図３に示された位置へ戻り、上端孔６２が部分的に閉じられ、サーマルプロテクタの上端に部分的に重なるようになっている。下端当接部７０及び７２が下端孔６４の幅を低減すべく下端孔に隣接してポケット６０の内方へ延在している。
【００１６】
図４乃至図６は一対の実質的に長方形の平坦な金属プレート８２と８４との間にサンドイッチ状に挟まれたＰＴＣ材料８０の平坦な中央層を含むＰＴＣ装置Ｃを示している。ＰＴＣ装置Ｃの外周縁は上端８６と下端８８と両側部９０及び９２とを含んでいる。プレート８２は側部９０に整合して下端８８より突出する端子脚９４を有している。プレート８４は側部９２に隣接して下端８８より突出する端子脚９６を有している。ＰＴＣ装置はその有効厚さを増大させるべく図６に示されている如く電気絶縁材料９８内に収容される。
【００１７】
図７は両側の平坦な長方形の金属プレート１０２と１０４との間にサンドイッチ状に挟まれたＰＴＣ材料１００の層を含むＰＴＣ装置Ｄを示している。ＰＴＣ装置Ｄ及びプレート１０２、１０４の外周縁は上端１０６と下端１０８と両側部１１０及び１１２とを含んでいる。端子脚１１４が側部１１０に隣接してプレート１０２の下端１０８より外方へ突出しており、他の一つの端子脚１１６が両側部１１０と１１２との間にてプレート１０４の下端１０８より外方へ突出している。フランジ１１８及び１２０がそれぞれプレート１０２の上端１０６及び下端１０８より外方へ湾曲されており、これによＰＴＣ装置Ｄの厚さが効果的に増大されている。
【００１８】
図８は一対の平坦な長方形のプレート１３２と１３４との間にサンドイッチ状に挟まれたＰＴＣ材料１３０の中央層を有するＰＴＣ装置Ｅを示している。ＰＴＣ装置Ｅ及びプレート１３２、１３４は、上端１３６と下端１３８と両側部１４０及び１４２とを含む外周縁を有している。端子脚１４４がプレート１３４の下端１３８より外方へ延在し、他の一つの端子脚１４６がプレート１３２の下端１３８より外方へ延在している。端子脚１４４及び１４６はそれぞれプレート１３２及び１３４に対し実質的に垂直に湾曲されている。またフランジ１４７及び１４８が下端１３８に隣接してプレート１３２の側部１４０及び１４２より外方へ湾曲されている。フランジ１４７及び１４８はＰＴＣ装置Ｅの有効厚さを増大しており、それぞれ対応するプレートに対し実質的に垂直である。
【００１９】
図９は一対の平坦な長方形のプレート１５２と１５４との間にサンドイッチ状に挟まれたＰＴＣ材料１５０の中央層を有するＰＴＣ装置Ｂを示している。ＰＴＣ装置Ｂ及びプレート１５２、１５４は上端１５６と下端１５８と両側部１６０及び１６２とを含む外周縁を有している。端子脚１６４がプレート１６２の下端１５８より外方へ延在し、端子脚１６６がプレート１５４の下端１５８より外方へ延在している。端子脚１６４及び１６６は図９に於いて仮想線にて示されている如く湾曲されてもよい。上端フランジ１７０及び下端フランジ１７２が上端１５６及び下端１５８に於いてプレート１５２に対し実質的に垂直に外方へ湾曲されている。またサイドフランジ１７４及び１７６がプレート１５２の側部１６０及び１６２より外方へ湾曲されている。上端フランジ１７０及び下端フランジ１７２は両側部１６０と１６２との間に配置され、上端１５６及び下端１５８の長さよりも実質的に小さい幅を有していることが好ましい。更にフランジ１７０、１７２、１７４、１７６はそれらの外面がＰＴＣ装置Ｂ及びプレート１５２、１５４の外周縁上又はその内側に位置するよう湾曲されている。
【００２０】
図１０は一対の長方形の金属プレート１８２と１８４との間にサンドイッチ状に挟まれたＰＴＣ材料の中央層を含むＰＴＣ装置Ｆを示している。ＰＴＣ装置Ｆ及びプレート１８２、１８４は上端１８６と下端１８８と両側部１９０及び１９２とを有している。上端フランジ１９４及び１９６が上端１８６に隣接してプレート１８２及び１８４より外方へ湾曲されている。また下端フランジ１９８が下端１８８に隣接してプレート１８２より外方へ湾曲されている。端子脚２００及び２０２が両側部１９０と１９２との間にてプレート１８２及び１８４の下端１８８より外方へ突出している。図１０のプレート１８４は図１１（Ａ）に於いて符号２０４により示されている如くフランジ１９８に対応する下端フランジを有している。
【００２１】
図１１（Ｂ）はプレート１８２及び１８４の外面の間に於けるＰＴＣ装置Ｆの厚さよりも実質的に大きい厚さを有するポケット２１０に受けられたＰＴＣ装置Ｆを示している。フランジ１９４、１９６及び１９８、２０４はＰＴＣ装置Ｆが図１１（Ｂ）に示されている如くポケット２１０内に密に嵌合するようＰＴＣ装置Ｆの有効厚さを増大している。またフランジ１９８及び２０４はポケット２１０の下端に隣接して設けられた当接部と共働してＰＴＣ装置Ｆをポケット内に保持すると共に端子脚２００及び２０４がポケットの幅の狭い下端孔６４を貫通して突出することを許すようになっている。
【００２２】
図１２及び図１３は両側の長方形の金属プレート２２２と２２４との間にサンドイッチ状に挟まれたＰＴＣ材料２２０の層を有するＰＴＣ装置Ｇを示している。ＰＴＣ装置Ｇ及びプレート２２２、２２４は上端２２６と下端２２８と両側部２３０及び２３２とを含む外周縁を有している。上端フランジ２３４が両側部２３０と２３２との間にて上端２２６に隣接してプレート２２２より外方へ湾曲されている。また下端フランジ２３６が両側部２３０と２３２との間にてプレート２２２の下端２２８より外方へ湾曲されている。他の一つのフランジ２３８が側部２３０に隣接してプレート２２２より外方へ湾曲されている。フランジ２３４、２３６、２３８はＰＴＣ装置Ｇの有効厚さを増大している。フランジ２３４、２３６、２３８がそれらの外面がＰＴＣ装置Ｇ及びプレート２２２の外周縁上又はその内側に位置する状態に湾曲されるよう、プレート２２２にはフランジ２３４、２３６、２３８の両側に切欠きが設けられている。端子脚２４０及び２４２が両側部２３０と２３２との間にてプレート２２２及び２２４より外方へ突出している。小さい下端フランジ２４４が図１３に示されている如くフランジ２３８とは反対の側に於いてプレート２２４より外方へ延在している。
【００２３】
フランジをプレートに対し実質的に垂直に外方へ湾曲させるのではなく、プレートの材料が局部的にある傾斜角をなすようただ単に外方へ変形されるだけでもよい。フランジが使用される場合には、ＰＴＣ装置の有効厚さを少なくとも２倍に増大させることができる。これに対しプレートが局部的に傾斜角をなすよう外方へ変形される場合には、増大された厚さはプレート及びＰＴＣ材料の合計の厚さの２倍未満である。
【００２４】
以上に於いては本発明を幾つかの好ましい実形態について図示し説明したが、本明細書を理解することにより等価な変更や修正が行われてよいことが理解されよう。本発明はかかる全ての等価な変更や修正を含むものであり、特許請求の範囲によってのみ限定されるものである。
【図面の簡単な説明】
【図１】本発明のＰＴＣ装置が配置された電動機ブラシホールダの平面図である。
【図２】図１の線２−２に沿う部分断面図である。
【図３】図１の線３−３に沿う部分断面図である。
【図４】本発明に従って構成されたＰＴＣ装置の正面図である。
【図５】本発明に従って構成されたＰＴＣ装置の側面図である。
【図６】他の一つの実施形態の斜視図である。
【図７】更に他の一つの実施形態の斜視図である。
【図８】更に他の一つの実施形態の斜視図である。
【図９】更に他の一つの実施形態の斜視図である。
【図１０】更に他の一つの実施形態の斜視図である。
【図１１】（Ａ）は更に他の一つの実施形態の斜視図であり、（Ｂ）は図３と同様の部分断面図であり、ポケットに受けられた（Ａ）の実施形態を示している。
【図１２】更に他の一つの実施形態の斜視図である。
【図１３】図１２のＰＴＣ装置の側面図である。
【符号の説明】
Ａ…電動機ブラシホールダ
Ｂ…ＰＴＣ装置
１２、１４…電動機ブラシ
６０…ポケット
６２…上端孔
６４…下端孔
７０、７２…当接部
８０…ＰＴＣ材料
８２、８４…金属プレート
８６…上端
８８…下端
９０、９２…側部
９４、９６…端子脚
【図１】
0003782518.tif 000002
【図２】
0003782518.tif 000003
【図３】
0003782518.tif 000004
【図４】
0003782518.tif 000005
【図５】
0003782518.tif 000006
【図６】
0003782518.tif 000007
【図７】
0003782518.tif 000008
【図８】
0003782518.tif 000009
【図９】
0003782518.tif 000010
【図１０】
0003782518.tif 000011
【図１１】
0003782518.tif 000012
【図１３】
0003782518.tif 000013
【図１２】
0003782518.tif 000014